【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
容器と蓋部材とを備えたアセンブリであって、
前記容器が頸部を有し、前記頸部が内部表面と軸線のまわりで実質的に湾曲された外部表面とを有し、前記内部表面と外部表面とが前記頸部の開口部で接合し、前記外部表面が、（ａ）少なくとも１つのネジ山と、（ｂ）半径方向外側に方向付けられた複数の斜め歯と、（ｃ）前記ネジ山と前記歯との間で軸方向に位置決めされた保持ビードとを有し、
前記蓋部材が、（ａ）上壁と、（ｂ）軸線のまわりで実質的に湾曲された内部表面、外部表面、上部分、および下部分を画定する側壁と、（ｃ）前記容器の頸部上の前記ネジ山と対合するように構成された前記側壁の内部表面上の少なくとも１つのネジ山と、（ｄ）内部表面、外部表面、上縁部、および下縁部を有する不正開封明示帯とを有し、前記不正開封明示帯の上縁部が、前記蓋部材の側壁の下部分に複数の破裂可能なブリッジによって取り付けられ、前記不正開封明示帯が、容器の頸部上の斜め歯に向かって半径方向内側に方向付けられた複数の斜め歯をさらに有し、不正開封明示帯上の少なくとも１つの歯が、容器の頸部の外部表面上の少なくとも１つの歯とかみ合い、不正開封明示帯上の後続の歯が容器の頸部の外部表面上の歯に対して角度的にオフセットされている、アセンブリ。
【請求項２】
不正開封明示帯上の斜め歯が、不正開封明示帯の下縁部から下方に懸垂した複数のタブの半径方向外側に向いた外部表面上に形成され、前記タブが、タブの外側に向いた外部表面上の斜め歯が半径方向内側に向いた位置に折りたたまれることができるように、前記下縁部に丁番によって連結されている、請求項１に記載のアセンブリ。
【請求項３】
少なくとも２つの隣接するタブの間に延在しそれらを連結する連結器をさらに含む、請求項２に記載のアセンブリ。
【請求項４】
前記タブの最も低い部分で、下方に懸垂し隣接する各タブの間に連結器が延在して、前記連結器が、内側に折りたたまれるとき、タブ上の内側に向いた斜め歯の上方に向いた側壁とともに、前記保持ビードに対して当接して締まり嵌めを作り出し、それによって、前記蓋部材を容器から取り外す際に、不正開封明示帯を容器の頸部のまわりに保持する連続表面を形成するようにする、請求項３に記載のアセンブリ。
【請求項５】
容器上の前記保持帯が、内側に向いた斜め歯の上方に向いた側壁に対して当接して締まり嵌めを作り出す完全な環状表面を形成し、それによって、前記蓋部材を容器から取り外す際に、不正開封明示帯を容器の頸部のまわりに保持する、請求項１に記載のアセンブリ。
【請求項６】
前記ネジ山が、蓋部材の回転によって蓋部材の破裂可能なブリッジが逐次的に破裂されるようになることを可能にするように充分に傾斜されている、請求項１に記載のアセンブリ。
【請求項７】
前記容器の前記頸部が、隙間によって離隔された２セット以上の斜め歯を含む、請求項１に記載のアセンブリ。
【請求項８】
斜め歯の各セットが少なくとも２つの歯を備える、請求項１に記載のアセンブリ。
【請求項９】
各タブが少なくとも２つの斜め歯を含む、請求項２に記載のアセンブリ。
【請求項１０】
蓋部材上の、下方に懸垂した各タブがその外部表面上で複数の斜め歯を支承する、請求項２に記載のアセンブリ。
【請求項１１】
前記蓋部材が別個の側壁と上壁とを備え、側壁が、前記開口部を密封する円盤を備える上壁を収容するために前記側壁の内部表面内に形成された溝を備える、請求項１に記載のアセンブリ。
【請求項１２】
前記円盤が、円盤と頸部の開口部とによって形成された密封を壊さずに初期トルクまたはバックオフが起こることができるように、前記溝内で緩く嵌まる、請求項１１に記載のアセンブリ。
【請求項１３】
容器蓋部材アセンブリを提供する方法であって、
頸部を有する容器を提供するステップを備え、前記頸部が内部表面と軸線のまわりで実質的に湾曲された外部表面とを有し、前記内部表面と外部表面とが前記頸部の開口部で接合し、前記外部表面が、（ａ）少なくとも１つのネジ山と、（ｂ）半径方向外側に方向付けられた複数の斜め歯と、（ｃ）前記ネジ山と前記歯との間で軸方向に位置決めされた保持ビードとを有し、
蓋部材とともに使用され、該蓋部材が、（ａ）上壁と、（ｂ）軸線のまわりで実質的に湾曲された内部表面、外部表面、上部分、および下部分を画定する側壁と、（ｃ）前記容器の頸部上の前記ネジ山と対合するように構成された前記側壁の内部表面上の少なくとも１つのネジ山と、（ｄ）内部表面、外部表面、上縁部、および下縁部を有する不正開封明示帯とを有し、前記不正開封明示帯の前記上縁部が、前記蓋部材の側壁の下部分に複数の破裂可能なブリッジによって取り付けられ、前記不正開封明示帯が、容器の頸部上の斜め歯に向かって半径方向内側に方向付けられた複数の斜め歯をさらに有し、不正開封明示帯上の少なくとも１つの歯が、容器の頸部の外部表面上の少なくとも１つの歯とかみ合い、不正開封明示帯上の後続の歯が容器の頸部の外部表面上の歯に対して角度的にオフセットされている、方法。
【請求項１４】
不正開封明示帯上の斜め歯が、不正開封明示帯の下縁部から下方に懸垂した複数のタブの半径方向外側に向いた外部表面上に形成され、前記タブが前記下縁部に丁番によって連結され、方法が、前記タブを、タブの外側に向いた外部表面上の斜め歯が、折りたたまれた位置で半径方向内側に向いた歯となるように、半径方向内側に折りたたむステップをさらに備える、請求項１３に記載の方法。
【請求項１５】
容器上の前記保持帯が、内側に向いた斜め歯の上方に向いた側壁に対して当接して締まり嵌めを作り出す完全な環状表面を形成し、それによって、前記蓋部材を容器から取り外す際に、不正開封明示帯を容器の頸部のまわりに保持する、請求項１４に記載の方法。
【請求項１６】
容器蓋部材アセンブリを提供する方法であって、
蓋部材を提供するステップを備え、該蓋部材が、（ａ）上壁と、（ｂ）軸線のまわりで実質的に湾曲された内部表面、外部表面、上部分、および下部分を画定する側壁と、（ｃ）前記容器の頸部上の前記ネジ山と対合するように構成された前記側壁の内部表面上の少なくとも１つのネジ山と、（ｄ）内部表面、外部表面、上縁部、および下縁部を有する不正開封明示帯とを有し、前記不正開封明示帯の上縁部が、前記蓋部材の側壁の下部分に複数の破裂可能なブリッジによって取り付けられ、前記不正開封明示帯が、前記容器の前記頸部上の前記斜め歯に向かって半径方向内側に方向付けられた複数の斜め歯をさらに有し、不正開封明示帯上の少なくとも１つの歯が、容器の頸部の外部表面上の少なくとも１つの歯とかみ合い、不正開封明示帯上の後続の歯が容器の頸部の外部表面上の歯に対して角度的にオフセットされており、
容器とともに使用され、該容器が、頸部を有し、前記頸部が内部表面と軸線のまわりで実質的に湾曲された外部表面とを有し、前記内部表面と外部表面とが前記頸部の開口部で接合し、前記外部表面が、（ａ）少なくとも１つのネジ山と、（ｂ）半径方向外側に方向付けられた複数の斜め歯と、（ｃ）前記ネジ山と前記歯との間で軸方向に位置決めされた保持ビードとを有する、方法。
【請求項１７】
不正開封明示帯上の斜め歯が、不正開封明示帯の下縁部から下方に懸垂した複数のタブの半径方向外側に向いた外部表面上に形成され、前記タブが前記下縁部に丁番によって連結され、方法が、前記タブを、タブの外側に向いた外部表面上の斜め歯が、折りたたまれた位置で半径方向内側に向いた歯となるように、半径方向内側に折りたたむステップをさらに備える、請求項１６に記載の方法。
【請求項１８】
容器上の前記保持帯が、内側に向いた斜め歯の上方に向いた側壁に対して当接して締まり嵌めを作り出す完全な環状表面を形成し、それによって、前記蓋部材を容器から取り外す際に、不正開封明示帯を容器の頸部のまわりに保持する、請求項１７に記載の方法。